(57)【要約】【課題】直管形ＬＥＤランプの新たな設置態様を実現するホルダを提案する。【解決手段】直管形ＬＥＤランプ用ホルダは、ホルダ本体１と、ホルダ本体１に連結される複数の連結器具２とを備える。複数の直管形ＬＥＤランプの設置時において、連結器具２は、直管形ＬＥＤランプの側面にそれぞれ取り付けられる。連結器具２の各々が持つ突出部２２は、連結器具２の取付け時に、連結器具２の取付け対象となった直管形ＬＥＤランプの長手方向において、その直管形ＬＥＤランプの端面と同じ位置から突き出る。突出部２２の各々には貫通孔２３が設けられ、ホルダ本体１の主面には、ホルダ本体１への複数の連結器具２の連結時に貫通孔２３にそれぞれ通される複数の突起部１１２が設けられている。又、複数の突起部１１２にはそれぞれ、突起部１１２からの連結器具２の脱落を防止する留め具１１３が着脱可能に設けられている。【選択図】図１
2015162288.tif 000002
【特許請求の範囲】
【請求項１】
長手方向に延びた側面を各々が持つ複数の直管形発光ダイオードランプの連結及び設置に用いられるホルダであって、
前記直管形発光ダイオードランプが設置される対象への直接的な固定、及び前記対象からの吊下げの少なくとも何れか一方が可能なホルダ本体と、
前記ホルダ本体に連結される複数の連結器具であって、前記直管形発光ダイオードランプの設置時にこれらの直管形発光ダイオードランプの前記側面にそれぞれ取り付けられ、各々が、対応する前記直管形発光ダイオードランプに取り付けられたとき、取付け対象となった前記直管形発光ダイオードランプの長手方向において、その直管形発光ダイオードランプの端面と同じ位置から突き出る突出部を持った、複数の連結器具と
を備え、
前記複数の連結器具が持つ前記突出部にはそれぞれ、貫通孔が設けられ、
前記ホルダ本体の主面には、前記ホルダ本体への前記複数の連結器具の連結時に前記貫通孔にそれぞれ通される複数の突起部が設けられ、
前記複数の突起部にはそれぞれ、前記突起部からの前記連結器具の脱落を防止する留め具が着脱可能に設けられている、直管形発光ダイオードランプ用ホルダ。
【請求項２】
前記ホルダ本体の前記主面には、前記突起部が４つ設けられており、それらの突起部は、前記ホルダ本体の前記主面に対して、その主面の中心軸周りに等間隔で配置されている、請求項１に記載の直管形発光ダイオードランプ用ホルダ。
【請求項３】
前記ホルダ本体に対して着脱可能に取り付けられるカバーを更に備え、
前記カバーは、前記ホルダ本体に取り付けられたとき、前記ホルダ本体の前記主面を覆う一方で、前記主面との間には前記突出部が通る隙間を持つ、請求項１又は２に記載の直管形発光ダイオードランプ用ホルダ。
【請求項４】
請求項１〜３の何れか１つに記載の直管形発光ダイオードランプ用ホルダを使用する方法であって、前記ホルダを複数用いることにより、前記直管形発光ダイオードランプを、これらが多角形の枠を形成する様に連結し、或いは、これらが平行に並ぶ様に連結する、直管形発光ダイオードランプ用ホルダの使用方法。
【発明の詳細な説明】
【技術分野】
【０００１】
本発明は、複数の直管形発光ダイオードランプの連結及び設置に用いられるホルダに関する。
【背景技術】
【０００２】
直管形発光ダイオードランプ（以下、「直管形ＬＥＤランプ」と称す。）には、その長手方向についての両端面から電極ピンを介して給電されるもの（従来の放電型ランプと同様の外観形状を持ったもの）や、側面から引き出された給電コードを通じて給電されるものが存在する。
【０００３】
側面から給電される直管形ＬＥＤランプには、天井等への設置態様として様々なものが考えられる。例えば、長手方向についての直管形ＬＥＤランプの両端面に係合ピンを設け、それらの係合ピンを、天井等に設けられたホルダに係合させるものが存在する（例えば、特許文献１参照）。尚、それらの係合ピンは、電極ピンと同様に端面から突出したものではあるが、電極としての機能は持たない。
【０００４】
又、上記設置態様として、直管形ＬＥＤランプの側面に係合部を設け、その係合部を、天井等に設けられたホルダに係合させるものが存在する（例えば、特許文献２参照）。この設置態様によれば、直管形ＬＥＤランプの両端面を外部へ露出させることが可能となる。このため、直管形ＬＥＤランプにおいて、側面に設けられた透光領域を、長手方向について両端まで拡げることが出来、更には長手方向についての両端面にも透光領域を設けることが出来る。この様な構成によれば、複数の直管形ＬＥＤランプを一列に殆ど隙間なく配することにより、直管形ＬＥＤランプの透光領域が一列に切れ目なく並ぶことになる。
【先行技術文献】
【特許文献】
【０００５】
【特許文献１】特開２０１４−７０７３号公報
【特許文献２】特開２０１２−２４８４１１号公報
【発明の概要】
【発明が解決しようとする課題】
【０００６】
しかしながら、上述した設置態様は、あまり斬新なものではない。直管形ＬＥＤランプは、端面及び側面の何れからでも給電が可能であるため、その設置態様について高い自由度を持つはずである。
【０００７】
そこで本発明の目的は、直管形ＬＥＤランプの新たな設置態様を実現するホルダを提案することである。
【課題を解決するための手段】
【０００８】
本発明に係る直管形ＬＥＤランプ用ホルダは、長手方向に延びた側面を各々が持つ複数の直管形ＬＥＤランプの連結及び設置に用いられるホルダであって、ホルダ本体と、そのホルダ本体に連結される複数の連結器具とを備える。ホルダ本体は、直管形ＬＥＤランプが設置される対象への直接的な固定、及び直管形ＬＥＤランプが設置される対象からの吊下げの少なくとも何れか一方が可能である。連結器具は、直管形ＬＥＤランプの設置時にこれらの直管形ＬＥＤランプの側面にそれぞれ取り付けられる。連結器具の各々は、突出部を有する。突出部は、その突出部を有する連結器具が、対応する直管形ＬＥＤランプに取り付けられたとき、取付け対象となった直管形ＬＥＤランプの長手方向において、その直管形ＬＥＤランプの端面と同じ位置から突き出る。複数の連結器具が持つ突出部にはそれぞれ、貫通孔が設けられ、ホルダ本体の主面には、ホルダ本体への複数の連結器具の連結時に貫通孔にそれぞれ通される複数の突起部が設けられている。又、複数の突起部にはそれぞれ、突起部からの連結器具の脱落を防止する留め具が着脱可能に設けられている。
【発明の効果】
【０００９】
本発明に係る直管形ＬＥＤランプ用ホルダによれば、直管形ＬＥＤランプの新たな設置態様が実現される。
【図面の簡単な説明】
【００１０】
【図１】本発明の実施形態に係る直管形ＬＥＤランプ用ホルダを概念的に示した分解斜視図である。
【図２】直管形ＬＥＤランプ用ホルダが備えるホルダ本体の底面図である。
【図３】ホルダ本体を、図２に示されるＡ−Ａ線に沿う方向から見て示した図である。
【図４】ホルダ本体へのカバーの取付け状態を示した図である。
【図５】直管形ＬＥＤランプ用ホルダが備える連結器具の、直管形ＬＥＤランプへの取付け状態を示した斜視図である。
【図６】ホルダ本体と連結器具との連結状態の一例を示した底面図である。
【図７】ホルダ本体と連結器具との連結状態の他の例を示した底面図である。
【図８】直管形ＬＥＤランプ用ホルダを用いて実現される直管形ＬＥＤランプの連結態様について、その一例を示した平面図である。
【図９】直管形ＬＥＤランプ用ホルダを用いて実現される直管形ＬＥＤランプの連結態様について、他の例を示した平面図である。
【図１０】直管形ＬＥＤランプ用ホルダを用いて実現される直管形ＬＥＤランプの連結態様について、更なる他の例を示した平面図である。
【発明を実施するための形態】
【００１１】
先ず、本発明の実施形態を列記して説明する。
本発明の実施形態に係る直管形ＬＥＤランプ用ホルダは、長手方向に延びた側面を各々が持つ複数の直管形ＬＥＤランプの連結及び設置に用いられるホルダであって、ホルダ本体と、そのホルダ本体に連結される複数の連結器具とを備える。ホルダ本体は、直管形ＬＥＤランプが設置される対象（天井や壁等の設置対象）への直接的な固定、及び直管形ＬＥＤランプが設置される対象（天井や梁等の設置対象）からの吊下げの少なくとも何れか一方が可能である。連結器具は、直管形ＬＥＤランプの設置時にこれらの直管形ＬＥＤランプの側面にそれぞれ取り付けられる。連結器具の各々は、突出部を有する。突出部は、その突出部を有する連結器具が、対応する直管形ＬＥＤランプに取り付けられたとき、取付け対象となった直管形ＬＥＤランプの長手方向において、その直管形ＬＥＤランプの端面と同じ位置から突き出る。複数の連結器具が持つ突出部にはそれぞれ、貫通孔が設けられ、ホルダ本体の主面には、ホルダ本体への複数の連結器具の連結時に貫通孔にそれぞれ通される複数の突起部が設けられている。又、複数の突起部にはそれぞれ、突起部からの連結器具の脱落を防止する留め具が着脱可能に設けられている。
【００１２】
上記直管形ＬＥＤランプ用ホルダを複数用いることにより、直管形ＬＥＤランプを、これらが多角形の枠を形成する様に連結し、或いは、これらが平行に並ぶ様に連結し、その連結態様で天井等に設置することが可能になる。よって、上記直管形ＬＥＤランプ用ホルダよれば、直管形ＬＥＤランプの新たな設置態様が実現される。
【００１３】
上記直管形ＬＥＤランプ用ホルダの好ましい具体的構成において、ホルダ本体の主面には、突起部が４つ設けられており、それらの突起部は、ホルダ本体の主面に対して、その主面の中心軸周りに等間隔で配置されている。
【００１４】
上記直管形ＬＥＤランプ用ホルダの好ましい他の具体的構成において、ホルダは、ホルダ本体に対して着脱可能に取り付けられるカバーを更に備え、カバーは、ホルダ本体に取り付けられたとき、ホルダ本体の主面を覆う一方で、主面との間には突出部が通る隙間を持つ。
【００１５】
上記直管形ＬＥＤランプ用ホルダの使用方法において、ホルダを複数用いることにより、直管形発光ダイオードランプを、これらが多角形の枠を形成する様に連結し、或いは、これらが平行に並ぶ様に連結する。
【００１６】
次に、本発明の実施形態の詳細について説明する。
図１は、本発明の実施形態に係る直管形ＬＥＤランプ用ホルダを概念的に示した分解斜視図である。図１に示す様に、直管形ＬＥＤランプ用ホルダは、ホルダ本体１と、ホルダ本体１に連結される複数の連結器具２と、有底筒状のカバー３とを備えている。
【００１７】
ホルダ本体１は、天井や壁等の設置対象への直接的な固定、及び天井や梁等の設置対象からの吊下げの少なくとも何れか一方が可能な形状を有している。具体的には、ホルダ本体１に、設置対象への固定の際に用いられる螺子やボルト等の固定具が通される貫通孔１０１や、設置対象からの吊下げの際に用いられる吊り具が通される貫通孔１０２が設けられている。又、ホルダ本体１には、貫通孔１０３が設けられている。貫通孔１０３には、直管形ＬＥＤランプ４（図５参照）から引き出された給電コード（図示せず）が通される。
【００１８】
図２は、ホルダ本体１の底面図である。図３は、ホルダ本体１を、図２に示されるＡ−Ａ線に沿う方向から見て示した図である。図２及び図３に示す様に、ホルダ本体１の主面１ａには、ホルダ本体１への複数の連結器具２の連結を可能にする複数の連結受け部１１が設けられている。連結受け部１１の各々は、ホルダ本体１の主面１ａに固定された台座１１１と、台座１１１に設けられた雄螺子１１２と、雄螺子１１２に着脱可能に取り付けられる留め具１１３とから構成されている。尚、図２では、留め具１１３の図示が省略されている。留め具１１３には、雄螺子１１２への取付け時にその雄螺子１１２と螺合する雌螺子が形成されている。雄螺子１１２は、台座１１１の先端面から突き出た突起部であり、ホルダ本体１への連結器具２の連結時に、後述する連結器具２の突出部２２に設けられた貫通孔２３に通される（図６及び図７参照）。そして、留め具１１３により、雄螺子１１２からの連結器具２の脱落が防止される。
【００１９】
本実施形態において、ホルダ本体１の主面１ａには、連結受け部１１が４つ設けられている。又、それらの連結受け部１１は、ホルダ本体１の主面１ａに対して、その主面１ａの中心軸１ｂ周りに等間隔で配置されている。尚、ホルダ本体１の主面１ａには、４つに限定されない複数の連結受け部１１が設けられていてもよい。又、連結受け部１１は、中心軸１ｂ周りにおいて、等間隔に限定されない様々な態様で設けられていてもよい。
【００２０】
ホルダ本体１の主面１ａには、更に、カバー３を取り付けるための取付け具１２が設けられている。ここで、カバー３は、ホルダ本体１の主面１ａを覆うことにより、連結受け部１１と連結器具２との連結部分を隠すためのものである。取付け具１２は、ホルダ本体１の主面１ａに固定された台座１２１と、台座１２１に設けられた雄螺子１２２と、雄螺子１２２に着脱可能に取り付けられる留め具１２３とから構成されている。尚、図２では、留め具１２３の図示が省略されている。ここで、台座１２１は、ホルダ本体１の主面１ａに固定された一対のＬ字状脚部１２４と、一対のＬ字状脚部１２４の先端部どうしを互いに連結する平板部１２５とから構成されている（図３参照）。台座１２１は、ホルダ本体１に対して着脱可能であり、Ｌ字状脚部１２４の各々がホルダ本体１に対して螺子留めされている。雄螺子１２２は、平板部１２５に設けられている。カバー３の底部３１（図１参照）には、貫通孔３２が設けられており、台座１２１へのカバー３の取付け時には、この貫通孔３２に雄螺子１２２が通される。そして、カバー３は、留め具１２３により、台座１２１に対して着脱可能に取り付けられる。
【００２１】
図４は、ホルダ本体１へのカバー３の取付け状態を示した図である。カバー３の側壁部３３の高さＴ１、及びホルダ本体１の主面１ａからのＬ字状脚部１２４の高さＴ２は、次の様に決められている。即ち、これらの高さＴ１及びＴ２は、カバー３がホルダ本体１に取り付けられたとき、カバー３がホルダ本体１の主面１ａを覆う一方で、カバー３の側壁部３３とホルダ本体１の主面１ａとの間に隙間Ｇが形成される様に、決められている。この隙間Ｇは、連結受け部１１への連結器具２の連結時に、後述する連結器具２の突出部２２が通される隙間である。
【００２２】
図５は、直管形ＬＥＤランプ４への連結器具２の取付け状態を示した斜視図である。図５に示す様に、連結器具２の各々は、直管形ＬＥＤランプ４の設置時に、対応する直管形ＬＥＤランプ４の側面４ａに取り付けられる。ここで、側面４ａは、直管形ＬＥＤランプ４の長手方向に延びた面である。連結器具２の各々は、対応する直管形ＬＥＤランプ４の側面４ａに対して螺子留め又は嵌合により取り付けられる本体部分２１と、本体部分２１から突出した突出部２２とを有している。ここで、直管形ＬＥＤランプ４に対する本体部分２１の取付け位置、及び突出部２２の構成は、次に様に決められている。即ち、これら取付け位置及び構成は、突出部２２を有する連結器具２が、対応する直管形ＬＥＤランプ４に取り付けられたとき、取付け対象となった直管形ＬＥＤランプ４の長手方向において、その直管形ＬＥＤランプ４の端面４ｂと同じ位置から突出部２２が突き出る様に、決められている。本実施形態において、本体部分２１の取付け位置は、直管形ＬＥＤランプ４の側面４ａのうち端面４ｂに近い位置に設定されている。
【００２３】
連結器具２が持つ本体部分２１の各々は、箱型の形状を呈しており、対応する直管形ＬＥＤランプ４への取付け時において直管形ＬＥＤランプ４の端面４ｂと同じ方向を向くことになる側面２１ａを有している。そして、その側面２１ａに、突出部２２が設けられている。又、突出部２２の両側縁の各々には、リブ２４が形成されており、側面２１ａには、２つリブ２４の間に通じる貫通孔２５が形成されている。
【００２４】
本実施形態において、給電コード（図示せず）は、直管形ＬＥＤランプ４の側面４ａのうち本体部分２１の取付け箇所から引き出されている。そして、貫通孔２５には、直管形ＬＥＤランプ４から引き出された給電コードが通される。又、上述した様に、この給電コードは、ホルダ本体１に設けられた貫通孔１０３に通される。従って、本実施形態の直管形ＬＥＤランプ用ホルダには、ホルダ内を通って貫通孔１０３へ通じる給電コード用の通路が形成されている。
【００２５】
連結器具２が持つ突出部２２の各々には、貫通孔２３が設けられている。この貫通孔２３には、ホルダ本体１への連結器具２の連結時に、対応する連結受け部１１の雄螺子１１２が通される。
【００２６】
図６及び図７は、ホルダ本体１と連結器具２との連結状態を示した底面図である。上述した連結受け部１１によれば、連結受け部１１の各々に対して連結器具２を次の様に連結することが可能となる。即ち、主面１ａの中心軸１ｂに垂直であって、且つその中心軸１ｂと雄螺子１１２の中心線とを通る基準線Ｌを考えた場合、図６に示す様に基準線Ｌに沿わせて連結器具２を連結受け部１１に連結することは勿論のこと、基準線Ｌに対して左右の何れかへ傾けて（図７参照）、連結器具２を連結受け部１１に連結することが可能となる。本実施形態の様に４つの連結受け部１１が中心軸１ｂ周りに等間隔で設けられている場合、図７に示す様に基準線Ｌに対して左右の何れかへ４５°傾けて、連結器具２を連結受け部１１に連結することが出来る。従って、本実施形態においては、中心軸１ｂ周りにおいて隣接する２つの連結受け部１１に連結器具２をそれぞれ連結したときに、連結された２つの連結器具２を平行に配列させることが出来る。この様に、本実施形態の直管形ＬＥＤランプ用ホルダは、ホルダ本体１と連結器具２との連結について高い自由度を有している。
【００２７】
本実施形態の直管形ＬＥＤランプ用ホルダよれば、そのホルダを複数用いることにより、直管形ＬＥＤランプ４を、これらが多角形の枠を形成する様に連結し、或いは、これらが平行に並ぶ様に連結し、その連結態様で天井等に設置することが可能になる。図８〜図１０は、直管形ＬＥＤランプ用ホルダを用いて実現される直管形ＬＥＤランプ４の連結態様を示した平面図である。一例として、図８に示す様に、４つのホルダを用いることにより、４本の直管形ＬＥＤランプ４を、これらが四角形の枠を形成する様に連結することが出来る。他の例として、図９に示す様に、２つのホルダを用いることにより、２本の直管形ＬＥＤランプ４を、これらが平行に並ぶに様に連結することが出来る。更なる他の例として、図１０に示す様に、７つのホルダを用いることにより、８本の直管形ＬＥＤランプ４を、２つの四角形を組み合わせた枠となる様に連結することが出来る。
【００２８】
この様に、本実施形態の直管形ＬＥＤランプ用ホルダよれば、直管形ＬＥＤランプ４の新たな設置態様が実現される。又、直管形ＬＥＤランプ用ホルダを用いることにより、図８〜図１０に示された連結態様に限定されない様々な連結態様を実現することが出来る。例えば、４本の直管形ＬＥＤランプ４を、これらが菱形の枠を形成する様に連結することが出来る。
【００２９】
尚、本発明の各部構成は上記実施形態に限らず、特許請求の範囲に記載の技術的範囲内で種々の変形が可能である。
【符号の説明】
【００３０】
１  ホルダ本体
１ａ  主面
１ｂ  中心軸
１０１、１０２、１０３  貫通孔
１１  連結受け部
１１１  台座
１１２  雄螺子
１１３  留め具
１２  取付け具
１２１  台座
１２２  雄螺子
１２３  留め具
１２４  Ｌ字状脚部
１２５  平板部
２  連結器具
２１  本体部分
２１ａ  側面
２２  突出部
２３  貫通孔
２４  リブ
２５  貫通孔
３  カバー
３１  底部
３２  貫通孔
３３  側壁部
４  直管形ＬＥＤランプ
４ａ  側面
４ｂ  端面
Ｌ  基準線
Ｔ１、Ｔ２  高さ
Ｇ  隙間
【図１】
2015162288.tif 000003
【図２】
2015162288.tif 000004
【図３】
2015162288.tif 000005
【図４】
2015162288.tif 000006
【図５】
2015162288.tif 000007
【図６】
2015162288.tif 000008
【図７】
2015162288.tif 000009
【図８】
2015162288.tif 000010
【図９】
2015162288.tif 000011
【図１０】
2015162288.tif 000012